(57)【要約】      （修正有）【課題】対面部にイオンを取り入れて化粧品が肌深く浸透するようにしたイオン導入機能を持つマッサージ機を提供する。【解決手段】内部に受容された化粧品をポンピングして外部で排出するように具備されたエアレスポンプ容器１０と、上部に開口２４が形成されて後方にエアレスポンプ容器１０が出入りするように開放口２８が形成された後方ケース２０と、上部に一側前方で排出口３２が形成された前方ケース３０と、エアレスポンプ容器１０を作動させることができるように設置されたボタン部４０と、肌と対面するようになった対面部５０と、前方ケース３０と後方ケース２０で成り立った空間の内部に挿入された印刷回路基板６０と、外部に露出してスイッチング役目をする手接触部７０と、印刷回路基板６０が電気的閉回路を構成する時イオンを発生させるイオンＩＣ９０と、印刷回路基板６０に電源を供給する電源供給部８０を有する。【選択図】図２
2011218041.tif 000002
【特許請求の範囲】
【請求項１】
内部に受容された化粧品をポンピングして外部に排出するように具備されたエアレスポンプ容器(10)と、
前記エアレスポンプ容器(10)が配置されることができるように配置部(22)が形成されて、上部に開口(24)が形成されて、後方にエアレスポンプ容器(10)が出入りするように開放口(28)が形成された後方ケース(20)と、
前記後方ケース(20)と結合されて内部に空間が形成されて、上部に一側前方で排出口(32)が形成された前方ケース(30)と、
前記後方ケース(20)の開口(24)に前記エアレスポンプ容器(10)を作動させることができるように設置されたボタン部(40)と、
前記前方ケース(32)の開口(32)に連通される流出口(52)が形成されて肌と対面する対面部(50)と、
前記対面部(50)と前記エアレスポンプ容器(10)との間に設置されて、エアレスポンプ容器(10)から排出された内容物が対面部(50)に供給されるようにする供給管(56)と、
前記前方ケース(30)と前記後方ケース(20)とで成り立った空間の内部に挿入された印刷回路基板(60)と、
前記前方ケース(30)と前記後方ケース(20)とで成り立った空間から外部に露出して、対面部(50)、使用者の身体、前記印刷回路基板(60)と一緒に電気的閉回路を構成してスイッチングの役目をする手接触部(70)と、
前記印刷回路基板(60)上に設置されて、前記手接触部(70)と人の身体と前記対面部(50)及び前記印刷回路基板(60)が電気的閉回路を構成する時、イオンを発生させて前記対面部(50)にイオンを供給するイオンＩＣ(90)と、
前記印刷回路基板(60)に電源を供給する電源供給部(80)と、
を含むことを特徴にするイオン導入機能を持つマッサージ機。
【請求項２】
前記ボタン部(40)は、エアレスポンプ容器(10)のヘッド部(14)が固定設置されるケージ(44)と、下部に前記ケージ(44)の対面と対応されて上部にストッパー(45)によって上昇の制限を受けるポンピングボタン(46)と、前記ポンピングボタン(46)と前記配置部(22)の上端(29)との間に設置されて前記ポンピングボタン(46)が弾性支持されるように設置されたスプリング(49)と、で成り立つことを特徴とするイオン導入機能を持つ請求項１に記載のマッサージ機。
【請求項３】
前記印刷回路基板(60)と、前記手接触部(70)と、前記対面部(50)及び使用者の身体によって電気的閉回路が構成された時に物理的信号を発生させる認識部をさらに含むことを特徴とするイオン導入機能を持つ請求項１に記載のマッサージ機。
【請求項４】
前記認識部は、振動モーター(92)またはディスプレー部(94)であることを特徴とする請求項３に記載のイオン導入機能を持つマッサージ機。
【発明の詳細な説明】
【技術分野】
【０００１】
本発明は、イオン導入機能を持つマッサージ機（Massage apparatus having ion injecting function）に関し、より詳細には、対面部にイオンを取り入れて化粧品が肌深く浸透するようになったイオン導入機能を持つマッサージ機に関する。
【背景技術】
【０００２】
一般的に、肌に浸透して栄養を供給するとか肌の中の老廃物をとり除く製品として、使用者は化粧品を肌に塗布した後、手や他の塗布具を利用して擦って化粧品が肌深く浸透されるようにする。
【０００３】
しかし、手や塗布具を利用して肌を擦ることだけでは、化粧品が肌の組職を貫いて皮下部まで深く浸透するのは容易ではない。
【０００４】
したがって、化粧品が浸透し易いように肌の微細な毛穴を拡張させる方法としてスチームタオルを使っているが、ただ化粧品が移動する経路のみを広げるだけであって、浸透の深みを増やすには限界がある。
【先行技術文献】
【特許文献】
【０００５】
【特許文献１】特開２００８−０７３４９８号公報
【発明の概要】
【発明が解決しようとする課題】
【０００６】
したがって、本発明は、対面部にイオンを取り入れて化粧品が肌深く浸透するようにするイオン導入機能を持つマッサージ機を提供することを目的とする。
【０００７】
また、本発明は、マッサージ機の内部にエアレスポンプ容器を設置して化粧品に空気が流入されることを遮断することで、化粧品が変質されることをあらかじめ防止するようにするイオン導入機能を持つマッサージ機を提供することを目的とする。
【０００８】
また、本発明は、対面部のイオン導入の有無を認知するように認識部を設置して機器の作動状態を把握することで、使用者により信頼性を与えるイオン導入機能を持つマッサージ機を提供することを目的とする。
【０００９】
また、本発明は、認識部として振動モーターを設置することで、使用者がより堅固にマッサージ機を把持した状態で対面部を顔に密着させることによって、化粧品を肌により深く浸透するようにするイオン導入機能を持つマッサージ機を提供することを目的とする。
【課題を解決するための手段】
【００１０】
本発明は、内部に受容された化粧品をポンピングして外部で排出するように具備されたエアレスポンプ容器(10)と、
上記エアレスポンプ容器(10)が配置されることができるように配置部(22)が形成されて、上部に開口(24)が形成されて、後方にエアレスポンプ容器(10)が出入りするように開放口(28)が形成された後方ケース(20)と、
上記後方ケース(20)と結合されて内部に空間が形成されて、上部に一側前方で排出口(32)が形成された前方ケース(30)と、
上記後方ケース(20)の開口(24)に上記エアレスポンプ容器(10)を作動させることができるように設置されたボタン部(40)と、
上記前方ケース(32)の開口(32)に連通される排出口(52)が形成されて肌と対面する対面部(50)と、
上記対面部(50)と上記エアレスポンプ容器(10)との間に設置されて、エアレスポンプ容器(10)から排出された内容物が対面部(50)に供給されるようにする供給管(56)と、
上記前方ケース(30)と上記後方ケース(20)で成り立った空間の内部に挿入された印刷回路基板(60)と、
上記前方ケース(30)と上記後方ケース(20)で成り立った空間から外部に露出して、対面部(50)、使用者の身体、上記印刷回路基板(60)と一緒に電気的閉回路を構成してスイッチングの役目をする手接触部(70)と、
上記印刷回路基板(60)上に設置されて、上記手接触部(70)と人の身体と上記対面部(50)及び上記印刷回路基板(60)が電気的閉回路を構成する時、イオンを発生させて上記対面部(50)にイオンを供給するイオンＩＣ(90)と、
上記印刷回路基板(60)に電源を供給する電源供給部(80)を含むイオン導入機能を持つマッサージ機を提供する。
【００１１】
ここで上記ボタン部(40)は、エアレスポンプ容器(10)のヘッド部(14)が固定設置されるケージ(44)と、下部に上記ケージ(44)の上面と対応されて上部にストッパー(45)によって上昇の制限を受けるポンピングボタン(46)と、上記ポンピングボタン(46)と上記配置部(22)の上端(29)との間に設置されて上記ポンピングボタン(46)が弾性支持されるように設置されたスプリング(49)と、で成り立つことが望ましい。
【００１２】
一緒にして本発明によるマッサージ機は、上記印刷回路基板(60)と、上記手接触部(70)と、上記対面部(50)及び使用者の身体によって電気的閉回路が構成された時、物理的信号を発生させる認識部をさらに含むことが望ましい。
【００１３】
ここで上記認識部は、振動モーター(92)またはディスプレー部(94)であるのが望ましい。
【発明の効果】
【００１４】
本発明によるイオン導入機能を持つマッサージ機は、対面部にイオンを取り入れて化粧品が肌深く浸透するようにする効果を有する。
【００１５】
また本発明によるイオン導入機能を持つマッサージ機は、内部にエアレスポンプを持つ化粧品容器を設置して化粧品に空気が流入されることを遮断することによって、化粧品の品質が低下されることをあらかじめ防止する効果を有する。
【００１６】
また本発明によるイオン導入機能を持つマッサージ機は、対面部のイオン導入の有無を認知するように認識部を設置して機器の作動状態を把握することで、使用者により信頼性を与える効果を有する。
【００１７】
さらに本発明によるイオン導入機能を持つマッサージ機は、認識部として振動モーターを設置することで、使用者に優秀な密着感を与える効果を有する。
【図面の簡単な説明】
【００１８】
【図１】図１は、本発明の一実施例によるイオン導入機能を持つマッサージ機の外観斜視図である。
【図２】図２は、本発明の一実施例によるイオン導入機能を持つマッサージ機の分解斜視図である。
【図３】図３は、本発明の一実施例によるイオン導入機能を持つマッサージ機の断面図である。
【発明を実施するための形態】
【００１９】
本発明の一実施例によるイオン導入機能を持つマッサージ機は、図１ないし図３に図示されたように、エアレスポンプ容器(10)と、結合によって内部に空間が形成される後方ケース(20)及び前方ケース(30)と、上記エアレスポンプ容器(10)を作動させることができるように設置されたボタン部(40)と、肌と対面する対面部(50)と、上記エアレスポンプ容器(10)で排出された内容物が対面部(50)に供給されるようにする供給管(56)と、上記前方ケース(30)と後方ケース(20)で成り立った空間の内部に挿入された印刷回路基板(60)と、上記前方ケース(30)と後方ケース(20)で成り立った空間の外部に露出してスイッチの役目をする手接触部(70)と、上記対面部(50)にイオンを供給するイオンＩＣ(90)と、上記印刷回路基板(60)に電源を供給する電源供給部(80)と、で成り立つ。
【００２０】
エアレスポンプ容器(10)は、内部に受容された化粧品をポンピングして外部に排出するようになった容器であり、内容物に空気が浸透することができないようになったエアレスタイプ(Airless type)の容器である。このようなエアレスポンプ容器(10)は、化粧品、医薬品などの多様な分野ですでに公知された技術なので、詳しい説明は省略する。ここでエアレスポンプ容器(10)の一般的な構成をよく見ると、内容物を受容する本体(12)と本体(12)の上部に形成されて内容物をポンピングするヘッド部(14)とで成り立つ。本実施例において上記ヘッド部(14)は、円柱面に環状のフランジ(16)が突出して形成されて後述するケージ(44)にかかるように具備される。
【００２１】
後方ケース(20)は、内部に上記エアレスポンプ容器(10)を配置させることができる配置部(22)が具備されて、上方には上記エアレスポンプ容器(10)を駆動させるためのボタン部(40)を設置するように開口(24)が形成される。上記後方ケース(20)の後方には、エアレスポンプ容器(10)の搬出がし易いように開放口(28)が形成されて、この開放口(28)にカバー(26)が脱着可能に結合設置される。上記後方ケース(20)の上方に設置された開口(24)には、ボタン部(40)を案内するための円柱面が形成される。
【００２２】
前方ケース(30)は上記後方ケース(20)と結合されて内部に空間を形成するように具備され、前方ケース(30)には、一側前方で対面部(50)を設置するための平面が形成されていて、この平面上に内容物を排出するための排出口(32)が形成される。
【００２３】
ボタン部(40)は、上記後方ケース(20)の開口(24)に設置されて、エアレスポンプ容器(10)を作動させる。上記ボタン部(40)は、エアレスポンプ容器(10)のヘッド部(14)に設置されるケージ(44)と、上記ケージ(44)の上部に設置されるポンピングボタン(46)と、上記配置部(22)の上端(29)に設置されるスプリング(49)と、で成り立つ。上記ポンピングボタン(46)は、上部に設置されたストッパー(45)によって上昇の制限を受ける。また上記ポンピングボタン(46)の一側には、供給管(56)がパスするように垂直方向でスロット(47)が形成される。また上記ケージ(44)の内側上部には、上記ポンピングボタン(46)の上昇を制限するストッパー(45)が設置される。ここで上記配置部(22)の上端(29)とスプリング(49)とによって上記ポンピングボタン(46)が弾性支持されるので、ポンピングボタン(46)が搖れなくなる。
【００２４】
対面部(50)は、上記前方ケース(30)の平面に肌と対面するように形成される。上記対面部(50)には、化粧品が排出されるように流出口(52)が形成されている。上記対面部(50)は、イオンＩＣ(90)で発生されたイオンによって帯電されるように電気的な導体で成り立つ。
【００２５】
上記供給管(56)は、上記エアレスポンプ容器(10)と対面部(50)の流出口(52)との間に設置されて、エアレスポンプ容器(10)から排出された内容物が対面部(50)に供給されるようにする。上記供給管(56)は、上記前方ケース(30)の排出口(32)を貫通するようになる。上記供給管(56)は、エアレスポンプ容器(10)の昇降によって位置が変わるのでフレキシブルに設置される。
【００２６】
上記印刷回路基板(60)は、前方ケース(30)と後方ケース(20)との間の内部空間に設置されて、イオンＩＣ(90)と認識部である振動モーター(92)とが設置される。上記印刷回路基板(60)は、上記対面部(50)と上記手接触部(70)と使用者の身体によって電気的閉回路を構成するように電気的に連結設置される。
【００２７】
手接触部(70)は、上記前方ケース(30)と後方ケース(20)で成り立った空間の外部に露出するように設置されて、対面部(50)と、使用者の身体及び印刷回路基板(60)と閉回路を構成するように電気的に連結設置される。したがって、上記手接触部(70)は、電気が通じる導体で成り立つことが望ましい。ここで上記手接触部(70)は、使用者が手で把持することによってスイッチの役目をするようになる。
【００２８】
イオンＩＣ(90)は、ガルバニックイオン(Galvanic ion)を発生させるＩＣとして印刷回路基板(60)上に設置されて、必要によって陰イオンと陽イオンとを発生させる。上記と一緒にイオンＩＣ(90)が必要によって陽イオンと陰イオンとを発生させることによって、化粧品を肌深く浸透させるだけでなく、必要によって極性を変えて肌に残存している老廃物をとり除くのに使われる。このようなガルバニックイオンは、イタリア医学者ガルバニック(Galvanic)が蛙解剖実験の中で火花放電と同時に蛙の足が動くことを見て体内の神経に電流が流れる現象を見つけたことから、以後学者によって、角質層の下のバリアーゾーン(Barrier Zone)以下で浸透がし難しいイオン性物質を、直流電流を利用して肌または粘膜を通じて身体の中に浸透させるイオン導入法が開発された。このように開発されたイオン導入法は、表皮層に存在する水分阻止膜をくぐって薬物または化粧品などを投入することができるので、薬物または化粧品の効能を増大させることができる。
【００２９】
電源供給部(80)は、印刷回路基板(60)に電源を供給し、バッテリー(84)とバッテリー(84)を装着するバッテリートレー(82)とで成り立つ。上記バッテリー(84)は、少ない空間を占めるボタン型であることが望ましい。
【００３０】
また本発明の実施例によるイオン導入機能を持つマッサージ機は、イオンＩＣ(90)でイオンを発生する時、すなわち印刷回路基板(60)、手接触部(70)、対面部(50)及び使用者の身体が閉回路を構成する時、使用者が認識するように物理的現象を発生させる認識部をさらに含む。上記イオンＩＣ(90)で対面部(50)に導入したイオンはその強度が非常に弱いので、使用者がイオン導入の有無が分かることができないため、使用者がイオン導入の有無が分かるように認識部を設置する。
【００３１】
上記認識部として、触覚で感じることができる振動モーター(92)または視覚的に見られるディスプレー部(94)を設置するのが望ましい。特に本実施例の振動モーター(92)は、振動が発生するので、使用者がマッサージ機の対面部(50)を顔にもっと密着させるので密着感がより向上する。
【符号の説明】
【００３２】
10  エアレスポンプ容器
20  後方ケーシング
30  前方ケーシング
40  ボタン部
50  対面部
60  印刷回路基板
70  手接触部
80  電源供給部
90  イオンＩＣ
100  マッサージ機
【図１】
2011218041.tif 000003
【図２】
2011218041.tif 000004
【図３】
2011218041.tif 000005